(57)【要約】【課題】  アスベスト粉塵飛散を防止するとともに、実質的に完全に近いアスベストの除去が達成されるアスベスト除去方法を提供する。【解決手段】  天井、壁、梁、柱その他建築物のアスベスト施工面に付着しているアスベストを除去する方法であって、  除去すべきアスベスト層に対し、こんにゃく芋の粉、粒、すり身、小塊、ペーストまたはエキス等のこんにゃく芋加工品の水溶液であるこんにゃく溶液を浸透させてアスベスト層を半固溶体の状態にするこんにゃく溶液付与工程と、  その半固溶体の状態とされたアスベスト層をアスベスト施工面から剥離させるアスベスト層剥離工程と、  剥離後のアスベスト施工面に残るアスベスト残渣に対し、ドライアイス粒を噴射してアスベスト残渣をアスベスト施工面から除去するアスベスト残渣除去工程と、を含むことを特徴とする。【選択図】        図１
2007162434.tif 000002
【特許請求の範囲】
【請求項１】
天井、壁、梁、柱その他建築物のアスベスト施工面に付着しているアスベストを除去する方法であって、
除去すべきアスベスト層に対し、こんにゃく芋の粉、粒、すり身、小塊、ペーストまたはエキス等のこんにゃく芋加工品の水溶液であるこんにゃく溶液を浸透させて前記アスベスト層を半固溶体の状態にするこんにゃく溶液付与工程と、
その半固溶体の状態とされた前記アスベスト層を前記アスベスト施工面から剥離させるアスベスト層剥離工程と、
剥離後の前記アスベスト施工面に残るアスベスト残渣に対し、ドライアイス粒を噴射してアスベスト残渣を前記アスベスト施工面から除去するアスベスト残渣除去工程と、
を含むことを特徴とするアスベスト除去方法。
【請求項２】
天井、壁、梁、柱その他建築物のアスベスト施工面に付着しているアスベストを除去する方法であって、
除去すべきアスベスト層に水等の湿潤化液を供給する湿潤化工程と、  
その湿潤化したアスベスト層に対し、こんにゃく芋の粉、粒、すり身、小塊、ペーストまたはエキス等のこんにゃく芋加工品の水溶液であるこんにゃく溶液を浸透させて前記アスベスト層を半固溶体の状態にするこんにゃく溶液付与工程と、
その半固溶体の状態とされた前記アスベスト層を前記アスベスト施工面から剥離させるアスベスト層剥離工程と、
剥離後の前記アスベスト施工面に残るアスベスト残渣に対し、ドライアイス粒を噴射してアスベスト残渣を前記アスベスト施工面から除去するアスベスト残渣除去工程と、
を含むことを特徴とするアスベスト除去方法。
【請求項３】
前記こんにゃく溶液付与工程において、前記アスベスト層に対し前記こんにゃく溶液が所定の保持時間をおいて複数回噴霧され、かつそのこんにゃく溶液における前記こんにゃく芋加工品の配合率であるこんにゃく濃度が、その複数回のこんにゃく溶液噴霧において段階的に高くされる請求項１又は２に記載のアスベスト除去方法。
【請求項４】
前記こんにゃく溶液の噴霧は所定の時間をおいて少なくとも２回以上実施され、その最初の段階の噴霧における前記こんにゃく濃度は、前記こんにゃく芋加工品と水の重量比が０．５：９．５〜２：８の範囲に選定され、最後の段階の噴霧におけるこんにゃく濃度は、こんにゃく芋加工品と水の重量比が３：７〜７：３の範囲に選定される請求項３に記載のアスベスト除去方法。
【発明の詳細な説明】
【技術分野】
【０００１】
本発明は、建物等の構造物に付着しているアスベストの除去方法に関する。
【背景技術】
【０００２】
アスベストは、耐火性、断熱性、防音性等の優れた特徴があり、建築用の耐火材、断熱材、防音材として建物の壁面部分または天井部分等に吹き付けられる等幅広く使用されてきた。
しかし、アスベストの微細な針状繊維は、人体に大変有害であり、呼吸器に取り込まれるとアスベスト肺の原因や肺がん、悪性中皮腫を引き起こす原因として認識され、問題視されている。
よって、古いアスベストが施された建物等の解体や、吹き付けアスベストの除去作業によって飛散したアスベストを人が吸い込むと、人体にとって危険があるため、周囲に悪影響を与えることなくアスベストを除去することが強く求められている。
【０００３】
従来、建物の解体や吹き付けアスベストを除去する工事においては、壁面部分や天井部分を含む相当範囲を事前に包囲し、予め飛散防止処理剤を吹き付けてアスベストを湿潤化させ、作業者がへら等のかき取り器具を使用して壁面部分または天井部分から剥離し、外部に搬出していた。
【特許文献１】特開平２-２１９８４号公報
【発明の開示】
【発明が解決しようとする課題】
【０００４】
しかしながら、上記アスベストの除去方法にあっては、器具等を使用するため手作業によらざるを得ず、作業者の負担を大きくするとともに、作業者はアスベスト粉塵が飛散している環境下で作業をしなければならず、作業者の健康面に配慮すると、長時間継続して作業をすることは好ましくないといった問題がある。
【０００５】
また、アスベストを、作業者の手作業により器具等を使用して剥離するため、壁面部分や天井部分に残渣が残り、完全に除去することはできない。
【０００６】
本発明の課題は、上記問題に鑑みてなされたものであり、アスベスト粉塵飛散を防止するとともに、実質的に完全に近いアスベストの除去が達成されるアスベスト除去方法を提供することにある。
【課題を解決するための手段・発明の効果】
【０００７】
上記課題を解決するため、アスベスト除去方法に係る本発明は、天井、壁、梁、柱その他建築物のアスベスト施工面に付着しているアスベストを除去する方法であって、
除去すべきアスベスト層に対し、こんにゃく芋の粉、粒、すり身、小塊、ペーストまたはエキス等のこんにゃく芋加工品の水溶液であるこんにゃく溶液を浸透させてアスベスト層を半固溶体の状態にするこんにゃく溶液付与工程と、
その半固溶体の状態とされたアスベスト層をアスベスト施工面から剥離させるアスベスト層剥離工程と、
剥離後のアスベスト施工面に残るアスベスト残渣に対し、ドライアイス粒を噴射してアスベスト残渣をアスベスト施工面から除去するアスベスト残渣除去工程と、
を含むことを特徴とする。
【０００８】
上記本発明では、アスベスト層に対しこんにゃく溶液を浸透させることによりアスベスト層が半固溶体の状態、いわば羊羹のような状態になって、その施工面から容易に剥離される。この時、半固溶体の状態であるのでアスベスト粉塵が周囲に飛散することもほとんどなく、除去の際に周囲に与える悪影響がない。アスベスト層の剥離後、施工面に付着している細かいアスベストの残渣は、ドライアイスの噴霧により除去され、実質的に完全に近いアスベストの除去が達成される。そして、その際噴霧されたドライアイス粒は、昇華して残らないため後処理も容易である。
【０００９】
また、上記発明の前段階として、除去すべきアスベスト層に水等の湿潤化液を供給する湿潤化工程を行い、その湿潤化したアスベスト層に対してこんにゃく溶液付与工程、アスベスト層剥離工程、アスベスト残渣除去工程を行うことができる。こんにゃく溶液の噴霧等の供給に先立ちアスベスト層に水等の湿潤化液を付与（噴霧等）して、予めアスベスト層を湿潤化しておくことで、次のこんにゃく溶液の供給においてそのこんにゃく溶液がアスベスト層の内部に一層浸透しやすくなり、半固溶体の形成が更に容易となる。
【００１０】
こんにゃく溶液付与工程において、アスベスト層に対しこんにゃく溶液が所定の保持時間をおいて複数回噴霧され、かつそのこんにゃく溶液におけるこんにゃく芋加工品の配合率であるこんにゃく濃度が、その複数回のこんにゃく溶液噴霧において段階的に高くされるようにすることができる。アスベスト層にこんにゃく溶液を付与（供給）するには、こんにゃく溶液を噴霧するのが好適であるが、こんにゃく濃度が低いこんにゃく溶液をまず噴霧し、その後所定の保持時間をおいてよりこんにゃく濃度の高いこんにゃく溶液を噴霧するようにすれば、アスベストの内部まで効果的にこんにゃく溶液が浸透し、外部ほどこんにゃく濃度の高い半固溶体の層ができるので、アスベスト層を内部まで半固溶体化して、剥離する際に、アスベスト層から粉塵が発生することを防止ないし抑制できる。また、段階的に濃度の高いこんにゃく溶液をアスベスト層に噴霧することにより、アスベスト層を包み込むようにして外層ほどゲル化が強化された層ないし膜が生じ、これによってアスベスト層を一体的な半固溶体の状態で施工面から剥離できる。
【００１１】
こんにゃく溶液の噴霧は所定の時間をおいて少なくとも２回以上実施され、その最初の段階の噴霧におけるこんにゃく濃度は、こんにゃく芋加工品と水の重量比が０．５：９．５〜２：８の範囲に選定され、最後の段階の噴霧におけるこんにゃく濃度は、こんにゃく芋加工品と水の重量比が３：７〜７：３の範囲に選定されるようにすると、アスベスト層の内部まで効果的にこんにゃく溶液を浸透させることができる。
【発明を実施するための最良の形態】
【００１２】
以下、本発明の実施の形態を添付の図面を参照して説明する。
図１は、本発明のアスベスト除去方法の流れを示すフロチャートである。本発明のアスベスト除去方法は、天井等に付着しているアスベスト層に対して行うこんにゃく溶液付与工程１とアスベスト層剥離工程２とアスベスト残渣除去工程３を通して行われる。また、図２に示すように、アスベスト層湿潤化工程１０を行ってから、こんにゃく溶液付与工程１１とアスベスト層剥離工程１２とアスベスト残渣除去工程１３を通して行うこともできる。
【００１３】
図３は、アスベスト除去方法の第１工程を示しており、図３（ａ）は、天井部２５と天井に付着しているアスベスト層２１を示す。第１工程として、アスベスト層湿潤化工程１０は、図３（ｂ）に示すように、まず天井等に付着しているアスベスト層２１に対し、噴射装置５０により水２４を噴霧して湿潤化する。この噴射装置５０は、水タンク５１、ポンプ５２、ホース５３、ノズル５４を備えている。そして、水タンク５１内の水はポンプ５２により吸引されて加圧され、加圧された水はホース５３を通してノズル５４から噴霧される。水以外に、水より揮発量が少ない湿潤剤液を噴霧してもよい。このアスベスト層湿潤化工程１０により、次のこんにゃく溶液付与工程１、１１において、こんにゃく溶液がアスベスト層の内部に一層浸透しやすくなる。
【００１４】
次に、第２工程として、こんにゃく溶液付与工程１、１１は、図４(ａ)に示すように、こんにゃく濃度が順次高くなるようにこんにゃく溶液２３を作り、これをこんにゃく濃度が低い順に、所定の保持時間、例えば２時間おき、噴射装置６０によって段階的こんにゃく溶液２３をアスベスト層２１に噴霧する。噴射装置６０は、こんにゃく溶液タンク６１、ポンプ６２、ホース６３、ノズル６４を備えており、こんにゃく溶液タンク６１内のこんにゃく溶液はポンプ６２により吸引されて加圧され、ホース６３を通してノズル６４から噴霧される。そして、例えば、こんにゃくと水の比率を１：９としたものをアスベスト層２１に噴霧して２時間保持し、次にこんにゃくと水の比率を３：７としたものをアスベスト層２１に噴霧して２時間保持し、最後にこんにゃくと水の比率を５：５としたものをアスベスト層２１に噴霧して６時間保持する。このように混成することで、アスベスト層２１の内部まで効果的にこんにゃく溶液２３を浸透させる。
【００１５】
最後に行ったこんにゃく溶液２３の噴霧から約６時間放置すると、図４（ｂ）に示すように、アスベスト層２１に浸透したこんにゃく溶液２３がゲル化し、アスベスト層部分がゲル化層２２となる。内部まで半固溶体化されたゲル化層２２により、剥離する際に、アスベスト粉塵が発生することを防止ないし抑制することができる。
【００１６】
次に、第３工程として、アスベスト層剥離工程２、１２は、図５に示すように、ゲル化層２２が自重で剥がれるかあるいは剥がれそうになり、施工面２５ａと２２ａの間に隙間２９ができているので、へら２６により施工面からの剥離を助勢する。剥離する際、第２工程においてゲル化させるために約６時間放置していることから、やや乾燥しているので、こんにゃくと水の比率を例えば５：５としたこんにゃく溶液を噴霧しながら剥離させると、粉塵が降りるのを防ぎ、粉塵を出しにくくする効果が生じる。
【００１７】
そして、ゲル化層２２が剥離された後の施工面２５ａには、図６に示すように、天井コンクリート面の飛泡（小穴）２５ｂにアスベスト残渣２７が残っている状態であるので、図７に示すように、第４工程として、アスベスト残渣除去工程３、１３は、高圧噴射装置７０によってドライアイス粒２８を施工面２５ａに向けて噴射する。高圧噴射装置７０は、ドライアイスホッパ７１、コンプレッサ７２、ホース７３、ノズル７４を備えており、圧縮空気を噴射させることができる。すなわち、ドライアイス粒２８は、ドライアイスホッパ７１からホース７３を通してノズル７４から圧縮空気とともに施工面２５ａに向けて噴射される。このとき、こんにゃくと水の比率を５：５としたこんにゃく溶液を噴霧してから、ドライアイス粒２８の噴射を行うとすると、アスベスト残渣２７が再び粉塵として飛散することを防ぐことができる。ドライアイス粒２８（例えば−７８℃）の噴射による剥離作用によって、コンクリート面の飛泡（小穴）２５ｂ中にあったアスベスト残渣２７は剥がれ落ちる。ドライアイス粒２８を噴射すると、一見霧のようになってアスベスト残渣２７が剥離され、これを集塵装置８０で回収する。この集塵装置８０は、ファン８１、モータ８２、集塵部８３、排気口８４を備えている。モータ８２を駆動するとファン８１が回転し、ファン８１によって、アスベスト残渣２７がドライアイス等とともに吸引される。吸引された気体は集塵部８３の排気口８４を通過して排気される。ドライアイスは昇華するので、廃材として残存することがなく、アスベスト残渣２７のみが集塵されることになる。また、噴射されるドライアイス粒２８は、アスベスト残渣２７の剥離に必要な衝撃力を与えることができるとともに、壁面部分や天井部分の施工面２５ａの飛泡（小穴）２５ｂに昇華した炭酸ガスが侵入して、除去作業を容易にすることができる。
こうして、天井部２５の施工面２５ａには実質的にほとんどアスベストが残らないアスベスト除去が達成される。
【００１８】
なお、こんにゃく溶液は、こんにゃく芋を乾燥粉砕化したこんにゃく粉の水溶液に限らず、例えばこんにゃく芋を粒化したものの水溶液、こんにゃく芋のペーストや小塊を水と混合、溶解した水溶液でもよい。さらには、水だけでなく、所定の補助剤、例えばこんにゃく粉の溶解を助ける溶解助剤やアスベストへの浸透性を高める浸透助剤を水に加え、こんにゃく粉のこんにゃく加工物をこれに溶解させてこんにゃく溶液を作成してもよい。
また、こんにゃく溶液のアスベスト層への付与は、噴霧以外にはけ等で塗布したり、あるいは回転羽根等でこんにゃく溶液をアスベストへかけたりすることもできる。
また、こんにゃく液に関し、例えば水を常温より所定温度（例えば４０℃前後）まで加温し、この湯をこんにゃく粉と混合し、湯中にこんにゃく粉を溶解させて作成してもよい。例えば、所定のタンクに水を入れて加熱装置で加熱した後、こんにゃく粉を投入して溶解することができる。
その他、この発明の趣旨を逸脱しない限りにおいて、種々の変更、付加、省略等ができることはもちろんである。
【図面の簡単な説明】
【００１９】
【図１】本発明に係るアスベスト除去方法の流れを示すフロチャート。
【図２】アスベスト除去方法の流れの第２実施例を示すフロチャート。
【図３】アスベスト除去方法の第１工程を示す説明図。
【図４】同じく第２工程を示す説明図。
【図５】同じく第３工程を示す説明図。
【図６】アスベスト層剥離後の施工面を示す図。
【図７】アスベスト除去方法の第４工程を示す説明図。
【符号の説明】
【００２０】
１、１１    こんにゃく溶液付与工程
２、１２    アスベスト層剥離工程
３、１３    アスベスト残渣除去工程
１０        アスベスト層湿潤化工程
２１        アスベスト層
２２        ゲル化層
２３        こんにゃく溶液
２４        水
２５        天井部
２５ａ      施工面
２５ｂ      飛泡（小穴）
２６        へら
２７        アスベスト残渣
２８        ドライアイス粒
５０、６０  噴射装置
７０        高圧噴射装置
８０        集塵装置
【図１】
2007162434.tif 000003
【図２】
2007162434.tif 000004
【図３】
2007162434.tif 000005
【図４】
2007162434.tif 000006
【図５】
2007162434.tif 000007
【図６】
2007162434.tif 000008
【図７】
2007162434.tif 000009
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
天井、壁、梁、柱その他建築物のアスベスト施工面に付着しているアスベストを除去する方法であって、
除去すべきアスベスト層に対し、こんにゃく芋の粉、粒、すり身、小塊、ペーストまたはエキス等のこんにゃく芋加工品の水溶液であるこんにゃく溶液を浸透させて前記アスベスト層を半固溶体の状態にするこんにゃく溶液付与工程と、
その半固溶体の状態とされた前記アスベスト層を前記アスベスト施工面から剥離させるアスベスト層剥離工程と、
剥離後の前記アスベスト施工面に残るアスベスト残渣に対し、ドライアイス粒を噴射してアスベスト残渣を前記アスベスト施工面から除去するアスベスト残渣除去工程と、を含み、
前記こんにゃく溶液付与工程において、前記アスベスト層に対し前記こんにゃく溶液が所定の保持時間をおいて複数回噴霧され、かつそのこんにゃく溶液における前記こんにゃく芋加工品の配合率であるこんにゃく濃度が、その複数回のこんにゃく溶液噴霧において段階的に高くされることを特徴とするアスベスト除去方法。
【請求項２】
天井、壁、梁、柱その他建築物のアスベスト施工面に付着しているアスベストを除去する方法であって、
除去すべきアスベスト層に水等の湿潤化液を供給する湿潤化工程と、  
その湿潤化したアスベスト層に対し、こんにゃく芋の粉、粒、すり身、小塊、ペーストまたはエキス等のこんにゃく芋加工品の水溶液であるこんにゃく溶液を浸透させて前記アスベスト層を半固溶体の状態にするこんにゃく溶液付与工程と、
その半固溶体の状態とされた前記アスベスト層を前記アスベスト施工面から剥離させるアスベスト層剥離工程と、
剥離後の前記アスベスト施工面に残るアスベスト残渣に対し、ドライアイス粒を噴射してアスベスト残渣を前記アスベスト施工面から除去するアスベスト残渣除去工程と、を含み、
前記こんにゃく溶液付与工程において、前記アスベスト層に対し前記こんにゃく溶液が所定の保持時間をおいて複数回噴霧され、かつそのこんにゃく溶液における前記こんにゃく芋加工品の配合率であるこんにゃく濃度が、その複数回のこんにゃく溶液噴霧において段階的に高くされることを特徴とするアスベスト除去方法。
【請求項３】
前記こんにゃく溶液の噴霧は所定の時間をおいて少なくとも２回以上実施され、その最初の段階の噴霧における前記こんにゃく濃度は、前記こんにゃく芋加工品と水の重量比が０．５：９．５〜２：８の範囲に選定され、最後の段階の噴霧におけるこんにゃく濃度は、こんにゃく芋加工品と水の重量比が３：７〜７：３の範囲に選定される請求項１又は２に記載のアスベスト除去方法。
【手続補正２】
【補正対象書類名】明細書
【補正対象項目名】０００７
【補正方法】変更
【補正の内容】
【０００７】
上記課題を解決するため、アスベスト除去方法に係る本発明は、天井、壁、梁、柱その他建築物のアスベスト施工面に付着しているアスベストを除去する方法であって、
除去すべきアスベスト層に対し、こんにゃく芋の粉、粒、すり身、小塊、ペーストまたはエキス等のこんにゃく芋加工品の水溶液であるこんにゃく溶液を浸透させてアスベスト層を半固溶体の状態にするこんにゃく溶液付与工程と、
その半固溶体の状態とされたアスベスト層をアスベスト施工面から剥離させるアスベスト層剥離工程と、
剥離後のアスベスト施工面に残るアスベスト残渣に対し、ドライアイス粒を噴射してアスベスト残渣をアスベスト施工面から除去するアスベスト残渣除去工程と、を含み、
こんにゃく溶液付与工程において、アスベスト層に対しこんにゃく溶液が所定の保持時間をおいて複数回噴霧され、かつそのこんにゃく溶液におけるこんにゃく芋加工品の配合率であるこんにゃく濃度が、その複数回のこんにゃく溶液噴霧において段階的に高くされることを特徴とする。
【手続補正３】
【補正対象書類名】明細書
【補正対象項目名】００１０
【補正方法】変更
【補正の内容】
【００１０】
そして、アスベスト層にこんにゃく溶液を付与（供給）するには、こんにゃく溶液を噴霧するのが好適であるが、こんにゃく濃度が低いこんにゃく溶液をまず噴霧し、その後所定の保持時間をおいてよりこんにゃく濃度の高いこんにゃく溶液を噴霧するようにすれば、アスベストの内部まで効果的にこんにゃく溶液が浸透し、外部ほどこんにゃく濃度の高い半固溶体の層ができるので、アスベスト層を内部まで半固溶体化して、剥離する際に、アスベスト層から粉塵が発生することを防止ないし抑制できる。また、段階的に濃度の高いこんにゃく溶液をアスベスト層に噴霧することにより、アスベスト層を包み込むようにして外層ほどゲル化が強化された層ないし膜が生じ、これによってアスベスト層を一体的な半固溶体の状態で施工面から剥離できる。